(57)【要約】【課題】音声入力を開始する操作及び音声入力を終了する操作について、ユーザが習熟している操作方法を使用することができる音声入力装置、音声入力方法及び音声入力プログラムを提供する。【解決手段】音声入力装置１０は、音声を入力するための音声入力部３０と、音声入力部３０による音声入力を開始させるための複数種類の開始操作のうちいずれかを受け付けた場合に、音声入力部３０による音声入力を開始させる開始部３１と、複数種類の開始操作のうちいずれの操作を受け付けたかに応じて、音声入力部３０による音声入力を終了させる複数種類の終了操作のうちから１又は複数種類の操作を抽出する抽出部３２と、抽出部３２により抽出された１又は複数種類の操作のうちいずれかを受け付けた場合に、音声入力部３０による音声入力を終了させる終了部３３と、を備える。【選択図】図３
2018072568.tif 000002
【特許請求の範囲】
【請求項１】
音声を入力するための音声入力部と、
前記音声入力部による音声入力を開始させるための複数種類の開始操作のうちいずれかを受け付けた場合に、前記音声入力部による音声入力を開始させる開始部と、
前記複数種類の開始操作のうちいずれの操作を受け付けたかに応じて、前記音声入力部による音声入力を終了させる複数種類の終了操作のうちから１又は複数種類の操作を抽出する抽出部と、
前記抽出部により抽出された１又は複数種類の操作のうちいずれかを受け付けた場合に、前記音声入力部による音声入力を終了させる終了部と、
を備える音声入力装置。
【請求項２】
少なくとも前記開始操作を行うためのボタンをさらに備え、
前記複数種類の開始操作は、前記ボタンの押下操作及び前記ボタンの押下維持操作である、
請求項１に記載の音声入力装置。
【請求項３】
前記複数種類の終了操作は、前記ボタンの押下操作、前記ボタンの押下解除操作及び前記音声入力部に入力される音声の音量を所定期間にわたって所定音量以下とする操作であり、
前記抽出部は、前記複数種類の開始操作のうち前記ボタンの押下操作を受け付けた場合、前記複数種類の終了操作のうちから前記ボタンの押下操作及び前記音声入力部に入力される音声の音量を所定期間にわたって所定音量以下とする操作を抽出する、
請求項２に記載の音声入力装置。
【請求項４】
前記複数種類の終了操作は、前記ボタンの押下操作、前記ボタンの押下解除操作及び前記音声入力部に入力される音声の音量を所定期間にわたって所定音量以下とする操作であり、
前記抽出部は、前記複数種類の開始操作のうち前記ボタンの押下維持操作を受け付けた場合、前記複数種類の終了操作のうちから前記ボタンの押下解除操作を抽出する、
請求項２又は３に記載の音声入力装置。
【請求項５】
タッチパネルをさらに備え、
前記ボタンは、前記タッチパネルをタッチすることにより操作される仮想的なボタンである、
請求項２から４のいずれか一項に記載の音声入力装置。
【請求項６】
音声入力部、開始部、抽出部及び終了部を備える音声入力装置を用い、
音声を入力するステップと、
前記音声入力部による音声入力を開始させるための複数種類の開始操作のうちいずれかを受け付けた場合に、前記音声入力部による音声入力を開始させるステップと、
前記複数種類の開始操作のうちいずれの操作を受け付けたかに応じて、前記音声入力部による音声入力を終了させる複数種類の終了操作のうちから１又は複数種類の操作を抽出するステップと、
前記抽出部により抽出された１又は複数種類の操作のうちいずれかを受け付けた場合に、前記音声入力部による音声入力を終了させるステップと、
を含む音声入力方法。
【請求項７】
コンピュータを、
音声を入力するための音声入力部と、
前記音声入力部による音声入力を開始させるための複数種類の開始操作のうちいずれかを受け付けた場合に、前記音声入力部による音声入力を開始させる開始部と、
前記複数種類の開始操作のうちいずれの操作を受け付けたかに応じて、前記音声入力部による音声入力を終了させる複数種類の終了操作のうちから１又は複数種類の操作を抽出する抽出部と、
前記抽出部により抽出された１又は複数種類の操作のうちいずれかを受け付けた場合に、前記音声入力部による音声入力を終了させる終了部と、
として機能させる音声入力プログラム。
【発明の詳細な説明】
【技術分野】
【０００１】
本発明は、音声入力装置、音声入力方法及び音声入力プログラムに関する。
【背景技術】
【０００２】
従来、キー入力の代わりに、ユーザが発声した音声に基づいて、文字入力や各種操作をすることのできる音声入力技術が知られている。音声入力を利用可能な音声入力装置は、音声入力を開始する操作がされることにより音声入力を開始し、音声入力を終了する操作がされることにより音声入力を終了する場合があった。音声入力装置は、音声翻訳装置に含まれて、翻訳対象となる音声入力を受け付ける場合があった。
【０００３】
このような音声翻訳装置の一例として、特許文献１には、辞書サーバ装置と、音声認識サーバ装置と、翻訳サーバ装置と、音声合成サーバ装置とを有する音声翻訳システムが記載されている。
【先行技術文献】
【特許文献】
【０００４】
【特許文献１】特許第５４７１１０６号
【発明の概要】
【発明が解決しようとする課題】
【０００５】
しかしながら、音声入力を開始する操作及び音声入力を終了する操作として異なる種類の操作が知られている。すなわち、ある音声入力装置における音声入力の操作方法と、他の音声入力装置における音声入力の操作方法とは、必ずしも同じではない。例えば、音声入力を開始する操作として、タッチパネルをタップ（叩くようにタッチ）する場合と、タッチパネルをタッチし続ける場合とが知られている。近年、スマートフォンやタブレット端末に音声入力装置が実装されることが多くなり、ユーザは各自が日常的に利用するスマートフォン等を用いて音声入力装置を日常的に使うことが多い。そのため、ユーザは、ある特定の音声入力装置の操作に習熟しているとしても、他の音声入力装置を使用する場合に操作方法が把握できず、音声入力に失敗するおそれがある。
【０００６】
そこで、本発明は、音声入力を開始する操作及び音声入力を終了する操作について、ユーザが習熟している操作方法を使用することができる音声入力装置、音声入力方法及び音声入力プログラムを提供することを目的とする。
【課題を解決するための手段】
【０００７】
本発明の一態様に係る音声入力装置は、音声を入力するための音声入力部と、音声入力部による音声入力を開始させるための複数種類の開始操作のうちいずれかを受け付けた場合に、音声入力部による音声入力を開始させる開始部と、複数種類の開始操作のうちいずれの操作を受け付けたかに応じて、音声入力部による音声入力を終了させる複数種類の終了操作のうちから１又は複数種類の操作を抽出する抽出部と、抽出部により抽出された１又は複数種類の操作のうちいずれかを受け付けた場合に、音声入力部による音声入力を終了させる終了部と、を備える。
【０００８】
この態様によれば、音声入力装置のユーザが、音声入力を開始させるための複数種類の開始操作のうちいずれを用いても、音声入力を開始することができる。そのため、ユーザが複数種類の開始操作のうちいずれに習熟している場合であっても、ユーザは、容易に音声入力を開始させることができる。また、音声入力装置のユーザが用いた開始操作に応じて、音声入力の終了操作の候補が絞り込まれ、候補となった複数種類の終了操作のうちいずれを用いても、音声入力を終了させることができる。そのため、ユーザが複数種類の終了操作のうちいずれに習熟している場合であっても、ユーザは、容易に音声入力を終了させることができる。
【０００９】
上記態様において、少なくとも開始操作を行うためのボタンをさらに備え、複数種類の開始操作は、ボタンの押下操作及びボタンの押下維持操作であってもよい。
【００１０】
この態様によれば、音声入力装置のユーザは、いずれの操作によって音声入力を開始するか意識することなく、自身が習熟した操作を用いて音声入力を開始することができる。
【００１１】
上記態様において、複数種類の終了操作は、ボタンの押下操作、ボタンの押下解除操作及び音声入力部に入力される音声の音量を所定期間にわたって所定音量以下とする操作であり、抽出部は、複数種類の開始操作のうちボタンの押下操作を受け付けた場合、複数種類の終了操作のうちからボタンの押下操作及び音声入力部に入力される音声の音量を所定期間にわたって所定音量以下とする操作を抽出してもよい。
【００１２】
この態様によれば、ユーザにより用いられた開始操作に応じて、３通りの終了操作のうち、ユーザが想定しているであろう２通りの終了操作を抽出して、抽出されたいずれの操作によっても音声入力を終了することができる。そのため、ユーザは、自身の習熟した操作を用いて音声入力を終了することができる。
【００１３】
上記態様において、複数種類の終了操作は、ボタンの押下操作、ボタンの押下解除操作及び音声入力部に入力される音声の音量を所定期間にわたって所定音量以下とする操作であり、抽出部は、複数種類の開始操作のうちボタンの押下維持操作を受け付けた場合、複数種類の終了操作のうちからボタンの押下解除操作を抽出してもよい。
【００１４】
この態様によれば、ユーザにより用いられた開始操作に応じて、３通りの終了操作のうち、ユーザが想定していると思われる終了操作を一意に特定することができる。そのため、ユーザは、自身の習熟した操作を用いて音声入力を終了することができる。
【００１５】
上記態様において、タッチパネルをさらに備え、ボタンは、タッチパネルをタッチすることにより操作される仮想的なボタンであってもよい。
【００１６】
この態様によれば、ユーザに理解容易な形で音声入力の操作を案内することができ、直感的に操作可能な音声入力装置を提供することができる。
【００１７】
本発明の他の態様に係る音声入力方法は、音声入力部、開始部、抽出部及び終了部を備える音声入力装置を用い、音声を入力するステップと、音声入力部による音声入力を開始させるための複数種類の開始操作のうちいずれかを受け付けた場合に、音声入力部による音声入力を開始させるステップと、複数種類の開始操作のうちいずれの操作を受け付けたかに応じて、音声入力部による音声入力を終了させる複数種類の終了操作のうちから１又は複数種類の操作を抽出するステップと、抽出部により抽出された１又は複数種類の操作のうちいずれかを受け付けた場合に、音声入力部による音声入力を終了させるステップと、を含む。
【００１８】
この態様によれば、音声入力装置のユーザが、音声入力を開始させるための複数種類の開始操作のうちいずれを用いても、音声入力を開始することができる。そのため、ユーザが複数種類の開始操作のうちいずれに習熟している場合であっても、ユーザは、容易に音声入力を開始させることができる。また、音声入力装置のユーザが用いた開始操作に応じて、音声入力の終了操作の候補が絞り込まれ、候補となった複数種類の終了操作のうちいずれを用いても、音声入力を終了させることができる。そのため、ユーザが複数種類の終了操作のうちいずれに習熟している場合であっても、ユーザは、容易に音声入力を終了させることができる。
【００１９】
本発明の他の態様に係る音声入力プログラムは、コンピュータを、音声を入力するための音声入力部と、音声入力部による音声入力を開始させるための複数種類の開始操作のうちいずれかを受け付けた場合に、音声入力部による音声入力を開始させる開始部と、複数種類の開始操作のうちいずれの操作を受け付けたかに応じて、音声入力部による音声入力を終了させる複数種類の終了操作のうちから１又は複数種類の操作を抽出する抽出部と、抽出部により抽出された１又は複数種類の操作のうちいずれかを受け付けた場合に、音声入力部による音声入力を終了させる終了部と、として機能させる。
【００２０】
この態様によれば、コンピュータのユーザが、音声入力を開始させるための複数種類の開始操作のうちいずれを用いても、音声入力を開始することができる。そのため、ユーザが複数種類の開始操作のうちいずれに習熟している場合であっても、ユーザは、容易に音声入力を開始させることができる。また、ユーザが用いた開始操作に応じて、音声入力の終了操作の候補が絞り込まれ、候補となった複数種類の終了操作のうちいずれを用いても、音声入力を終了させることができる。そのため、ユーザが複数種類の終了操作のうちいずれに習熟している場合であっても、ユーザは、容易に音声入力を終了させることができる。
【発明の効果】
【００２１】
本発明によれば、音声入力を開始する操作及び音声入力を終了する操作について、ユーザが習熟している操作方法を使用することができる音声入力装置、音声入力方法及び音声入力プログラムを提供することができる。
【図面の簡単な説明】
【００２２】
【図１】本発明の実施形態に係る音声翻訳装置を概略的に示すシステムブロック図である。
【図２】本発明の実施形態に係る音声翻訳装置に含まれる音声入力装置の構成の一例を示す図である。
【図３】音声入力装置の機能ブロックの一例を示す図である。
【図４】音声入力装置に表示される音声入力画面の一例を示す図である。
【図５】音声入力装置における処理の流れの一例を示す第１フローチャートである。
【図６】音声入力装置における処理の流れの一例を示す第２フローチャートである。
【発明を実施するための形態】
【００２３】
添付図面を参照して、本発明の実施形態について説明する。なお、各図において、同一の符号を付したものは、同一又は同様の構成を有する。
【００２４】
図１は、本発明の実施形態に係る音声翻訳装置１００を概略的に示すシステムブロック図である。音声翻訳装置１００は、ユーザ（発話者）が音声を入力するための音声入力装置１０と、音声データの内容を翻訳処理するサーバ装置２０とを含む。音声入力装置１０とサーバ装置２０は、互いにネットワークＮを介して電子的に接続される。もっとも、音声翻訳装置１００は必ずしもサーバ装置２０を含む必要はなく、音声入力装置１０が翻訳処理を行うものであってもよい。
【００２５】
本実施形態において、音声入力装置１０は、携帯可能な装置であり、例えばスマートフォン、タブレット端末、スマートウォッチ、拡声器、携帯型コンピュータ等であってよい。サーバ装置２０は、音声入力装置１０に比べて演算処理能力が高いホストコンピュータによって構成され、プロセッサ、通信インタフェース及び記憶資源を備える。サーバ装置２０は、記憶資源に記憶された所定のサーバ用プログラムによって、例えば、辞書サーバ装置、音声認識サーバ装置、翻訳サーバ装置及び音声合成サーバ装置として機能する。
【００２６】
ネットワークＮは、音声入力装置１０とサーバ装置２０を接続するネットワークであり、例えば、有線ネットワークと無線ネットワークが混在して構成される通信網であってよい。有線ネットワークの例としては、近距離通信網（ＬＡＮ）及び広域通信網（ＷＡＮ）が挙げられる。無線ネットワークの例としては、移動通信網、衛星通信網、近距離無線通信網及びＷｉＦｉが挙げられる。
【００２７】
図２は、本発明の実施形態に係る音声翻訳装置１００に含まれる音声入力装置１０の構成の一例を示す図である。音声入力装置１０は、プロセッサ１１、記憶資源１２、音声入出力デバイス１３、通信インタフェース１４、入力デバイス１５及び表示デバイス１６を備える。
【００２８】
プロセッサ１１は、記憶資源１２に格納されている音声入力プログラムＰ１０を実行し、音声入力処理を行う。音声入力プログラムＰ１０は、例えばサーバ装置２０からネットワークＮを通じて配信可能なものであり、手動又は自動でインストール及びアップデートされてもよい。
【００２９】
記憶資源１２は、コンピュータ読み取り可能な記録媒体であり、例えば、ハードディスクドライブや半導体メモリである。記憶資源１２は、音声入力装置１０の処理に用いられるオペレーティングシステムプログラム、ドライバプログラム及び各種データを格納する。ドライバプログラムとしては、例えば、音声入出力デバイス１３を制御するための入出力デバイスドライバプログラム、入力デバイス１５を制御するための入力デバイスドライバプログラム、表示デバイス１６を制御するための出力デバイスドライバプログラム等が挙げられる。音声入出力デバイス１３は、音声を電気信号に変換するマイクロフォンと、音声を出力するスピーカとで構成される。
【００３０】
通信インタフェース１４は、ネットワークＮを介したサーバ装置２０との接続を行うものであり、無線通信インタフェースや有線通信インタフェースで構成される。入力デバイス１５は、音声入力装置１０を操作するためのものであり、例えば、表示デバイス１６に重ねて配置されるタッチパネルや、物理的に設けられるボタンである。本実施形態に係る音声入力装置１０では、入力デバイス１５としてタッチパネルを有し、ユーザは、表示デバイス１６に表示されるアイコンやキーボードをタップすることで音声入力装置１０を操作する。なお、本明細書において、ボタンとは、物理的に設けられたボタンであってもよいし、表示デバイス１６に表示される仮想的なボタン（例えば、アイコン）であってもよい。表示デバイス１６は、文字や画像を表示するためのものであり、例えば、液晶ディスプレイや有機ＥＬディスプレイである。
【００３１】
図３は、音声入力装置１０の機能ブロックの一例を示す図である。同図に示す各機能ブロックは、音声入力装置１０のプロセッサ１１、記憶資源１２、音声入出力デバイス１３、通信インタフェース１４、入力デバイス１５及び表示デバイス１６により実現される音声入力装置１０の機能を表しており、必ずしも各機能ブロックに対応する物理的な構成が存在することを意味しない。
【００３２】
音声入力装置１０は、音声入力部３０、開始部３１、抽出部３２、終了部３３、ボタン３４及び記憶資源１２を有する。音声入力部３０は、音声を入力するためのものであり、ユーザが発話した音声を電気信号である音声データに変換する。音声入力部３０により入力された音声データは、記憶資源１２に格納されてよい。開始部３１は、音声入力部３０による音声入力を開始させるための複数種類の開始操作のうちいずれかを受け付けた場合に、音声入力部３０による音声入力を開始させる。本実施形態に係る音声入力装置１０において、音声入力を開始させるための複数種類の開始操作とは、ボタン３４の押下操作及びボタン３４の押下維持操作である。ここで、ボタン３４の押下操作とは、ボタン３４が物理的に設けられた物理ボタンの場合、物理ボタンを押下する操作を含み、ボタン３４が表示デバイス１６に表示された仮想ボタン（アイコン）の場合、仮想ボタンをタップする操作（叩くようにタッチする操作）を含む。また、ボタン３４の押下維持操作とは、ボタン３４が物理ボタンの場合、物理ボタンを長押しする操作を含み、ボタン３４が仮想ボタンの場合、仮想ボタンのタッチを維持する操作を含む。
【００３３】
抽出部３２は、複数種類の開始操作のうちいずれの操作を受け付けたかに応じて、音声入力部３０による音声入力を終了させる複数種類の終了操作のうちから１又は複数種類の操作を抽出する。ここで、複数種類の終了操作Ｃ１０は、記憶資源１２に予め格納されている。抽出部３２は、記憶資源１２に格納された複数種類の終了操作Ｃ１０を絞り込み、受け付けた開始操作に対応する操作を抽出する。本実施形態に係る音声入力装置１０の場合、複数種類の終了操作Ｃ１０は、ボタン３４の押下操作、ボタン３４の押下解除操作及び音声入力部３０に入力される音声の音量を所定期間にわたって所定音量以下とする操作の３種類を含む。ここで、ボタン３４の押下解除操作とは、ボタン３４が物理ボタンの場合、物理ボタンの長押しを解除する操作を含み、ボタン３４が仮想ボタンの場合、仮想ボタンのタッチ維持を解除する操作を含む。音声入力部３０に入力される音声の音量を所定期間にわたって所定音量以下とする操作（以下、「無音操作」という。）とは、ユーザが発声を控えて無音を保つ操作である。本明細書では、入力される音声の音量が所定期間にわたって所定音量以下であることが、音声入力装置１０により検出された場合に、無音操作があったものとみなす。例えば、所定期間として１秒間、所定音量として６０ｄＢ（通常の会話程度の音量）を採用する場合、無音操作は、１秒間にわたって、入力音声の音量が６０ｄＢ以下となるように発声を控えることで行われる。
【００３４】
終了部３３は、抽出部３２により抽出された１又は複数種類の操作のうちいずれかを受け付けた場合に、音声入力部３０による音声入力を終了させる。
【００３５】
図４は、音声入力装置１０に表示される音声入力画面の一例を示す図である。同図では、音声入力装置１０の表示デバイス１６に表示された音声入力画面の一例を示している。音声入力画面は、「お話しください」と記載されたメッセージＭ１０と、音声入力ボタンＢ１０と、キャンセルボタンＢ２０と、を含む。
【００３６】
音声翻訳装置１００のユーザは、音声入力装置１０に表示されたメッセージＭ１０に従い、音声入力ボタンＢ１０を操作して、翻訳したい内容について音声入力を行う。音声入力ボタンＢ１０は、音声入力の開始操作及び終了操作を行うためのボタン３４として機能する。翻訳処理を終了する場合には、キャンセルボタンＢ２０をタップする。なお、同図に示す音声入力画面は一例であり、音声入力ボタンＢ１０の代わりに物理ボタンによって音声入力の開始操作及び終了操作を行ってもよいし、音声入力の目的は翻訳以外であってもよい。
【００３７】
本実施形態に係る音声入力装置１０によれば、メッセージＭ１０や音声入力ボタンＢ１０を有することで、ユーザに理解容易な形で音声入力の操作を案内することができ、ユーザは、直感的に音声入力の操作を行うことができる。
【００３８】
図５は、音声入力装置１０における処理の流れの一例を示す第１フローチャートである。音声入力装置１０は、はじめにボタン３４の押下操作があるか否かを判定する（Ｓ１０）。ボタン３４の押下操作が無い場合、待機する。ボタン３４の押下操作があった場合、ボタン３４の押下維持操作であるか否かを判定する（Ｓ１１）。ボタン３４の押下維持操作ではない場合（Ｓ１１：Ｎｏ）、音声入力部３０による音声入力を開始する（Ｓ１２）。
【００３９】
その後、音声入力装置１０は、音声入力の終了操作の候補を絞り込む（Ｓ１３）。具体的には、音声入力装置１０の抽出部３２は、複数種類の開始操作のうちボタン３４の押下操作を受け付けた場合、複数種類の終了操作のうちからボタン３４の押下操作及び無音操作を抽出する。抽出部３２は、記憶資源１２に格納された３種類の終了操作のうち、ユーザが行った開始操作（本例の場合、ボタン３４の押下操作）に対応する２種類の操作を抽出する。
【００４０】
続けて、音声入力装置１０は、ユーザにより終了操作が行われたか否かを判定する。具体的には、音声入力装置１０の終了部３３は、ボタン３４の押下操作があった場合（Ｓ１４）と、無音操作があった場合（Ｓ１５）に音声入力を終了する（Ｓ１６）。こうして、音声入力装置１０は、音声入力部３０を介して、ステップＳ１２で音声入力を開始してから、ステップＳ１６で音声入力を終了するまでの間、音声入力を受け付けて、ユーザの発声した音声を取得する。
【００４１】
図６は、音声入力装置１０における処理の流れの一例を示す第２フローチャートである。第２フローチャートは、図５に示す第１フローチャートにおいて、ボタン３４の押下維持操作があったと判定された場合に（Ｓ１１：Ｙｅｓ）行われる処理を示している。
【００４２】
ボタン３４の押下維持操作があった場合、音声入力部３０は、音声入力を開始する（Ｓ２０）。その後、音声入力装置１０は、音声入力の終了操作の候補を絞り込む（Ｓ２１）。具体的には、音声入力装置１０の抽出部３２は、複数種類の開始操作のうちボタン３４の押下維持操作を受け付けた場合、複数種類の終了操作のうちからボタン３４の押下解除操作を抽出する。抽出部３２は、記憶資源１２に格納された３種類の終了操作のうち、ユーザが行った開始操作（本例の場合、ボタン３４の押下維持操作）に対応する１種類の操作を抽出する。
【００４３】
続けて、音声入力装置１０は、ユーザにより終了操作が行われたか否かを判定する。具体的には、音声入力装置１０の終了部３３は、ボタン３４の押下解除操作があった場合（Ｓ２２）に音声入力を終了する（Ｓ２３）。こうして、音声入力装置１０は、音声入力部３０を介して、ステップＳ２０で音声入力を開始してから、ステップＳ２３で音声入力を終了するまでの間、音声入力を受け付けて、ユーザの発声した音声を取得する。
【００４４】
本実施形態に係る音声入力装置１０によれば、ユーザは、音声入力を開始させるための複数種類の開始操作のうちいずれを用いても、音声入力を開始させることができる。また、本実施形態に係る音声入力装置１０によれば、音声入力装置１０のユーザが用いた開始操作に応じて、音声入力の終了操作の候補が絞り込まれ、ユーザは、候補となった複数種類の終了操作のうちいずれを用いても、音声入力を終了させることができる。そのため、ユーザが複数種類の開始操作のうちいずれに習熟している場合であっても、ユーザは、容易に音声入力を開始させることができる。ユーザが複数種類の終了操作のうちいずれに習熟している場合であっても、ユーザは、容易に音声入力を終了させることができる。また、ユーザが複数種類の音声入力の操作方式のうちいずれに習熟している場合であっても、ユーザは自身が習熟している操作方式を用いて、確実に音声入力することができる。
【００４５】
また、本実施形態に係る音声入力装置１０によれば、複数の操作方式による音声入力を実現している。これにより、１つの音声入力装置１０を複数人が使用する場合でも、音声入力の操作方式をユーザごとに個別に設定したり、切り替えたりする必要がない。例えば、本実施形態に係る音声入力装置１０を音声翻訳装置に適用する場合などでも、音声入力の操作方式を１つのものに統一させる必要がなく、各人が好みの操作方式で音声入力を開始及び終了することができる。
【００４６】
また、複数の操作方式によって音声入力をすることができるため、ユーザは特定の操作方式を意識することなく、直感的に音声入力をすることが可能となる。
【００４７】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【符号の説明】
【００４８】
１０…音声入力装置、１１…プロセッサ、１２…記憶資源、１３…音声入出力デバイス、１４…通信インタフェース、１５…入力デバイス、１６…表示デバイス、２０…サーバ装置、３０…音声入力部、３１…開始部、３２…抽出部、３３…終了部、３４…ボタン、１００…音声翻訳装置、Ｃ１０…終了操作、Ｂ１０…音声入力ボタン、Ｂ２０…キャンセルボタン、Ｍ１０…メッセージ、Ｎ…ネットワーク、Ｐ１０…音声入力プログラム。
【図１】
2018072568.tif 000003
【図２】
2018072568.tif 000004
【図３】
2018072568.tif 000005
【図４】
2018072568.tif 000006
【図５】
2018072568.tif 000007
【図６】
2018072568.tif 000008
【手続補正書】
【提出日】平成29年8月16日(2017.8.16)
【手続補正１】
【補正対象書類名】特許請求の範囲
【補正対象項目名】全文
【補正方法】変更
【補正の内容】
【特許請求の範囲】
【請求項１】
翻訳処理の対象となる音声を入力するための音声入力装置であって、
音声を入力するための音声入力部と、
前記音声入力部による音声入力を開始させるための複数種類の開始操作のうちいずれかを受け付けた場合に、前記音声入力部による音声入力を開始させる開始部と、
前記複数種類の開始操作のうちいずれの操作を受け付けたかに応じて、前記音声入力部による音声入力を終了させる複数種類の終了操作のうちから１又は複数種類の操作を抽出する抽出部と、
前記抽出部により抽出された１又は複数種類の操作のうちいずれかを受け付けた場合に、前記音声入力部による音声入力を終了させる終了部と、
前記音声入力装置よりも演算処理能力が高く、音声データの内容を翻訳処理するサーバ装置との通信を行う通信インタフェースと、を備える、
音声入力装置。
【請求項２】
少なくとも前記開始操作を行うためのボタンをさらに備え、
前記複数種類の開始操作は、前記ボタンの押下操作及び前記ボタンの押下維持操作である、
請求項１に記載の音声入力装置。
【請求項３】
前記複数種類の終了操作は、前記ボタンの押下操作、前記ボタンの押下解除操作及び前記音声入力部に入力される音声の音量を所定期間にわたって所定音量以下とする操作であり、
前記抽出部は、前記複数種類の開始操作のうち前記ボタンの押下操作を受け付けた場合、前記複数種類の終了操作のうちから前記ボタンの押下操作及び前記音声入力部に入力される音声の音量を所定期間にわたって所定音量以下とする操作を抽出する、
請求項２に記載の音声入力装置。
【請求項４】
前記複数種類の終了操作は、前記ボタンの押下操作、前記ボタンの押下解除操作及び前記音声入力部に入力される音声の音量を所定期間にわたって所定音量以下とする操作であり、
前記抽出部は、前記複数種類の開始操作のうち前記ボタンの押下維持操作を受け付けた場合、前記複数種類の終了操作のうちから前記ボタンの押下解除操作を抽出する、
請求項２又は３に記載の音声入力装置。
【請求項５】
タッチパネルをさらに備え、
前記ボタンは、前記タッチパネルをタッチすることにより操作される仮想的なボタンである、
請求項２から４のいずれか一項に記載の音声入力装置。
【請求項６】
音声入力部、開始部、抽出部、終了部及び通信インタフェースを備え、翻訳処理の対象となる音声を入力するための音声入力装置を用い、
音声を入力するステップと、
前記音声入力部による音声入力を開始させるための複数種類の開始操作のうちいずれかを受け付けた場合に、前記音声入力部による音声入力を開始させるステップと、
前記複数種類の開始操作のうちいずれの操作を受け付けたかに応じて、前記音声入力部による音声入力を終了させる複数種類の終了操作のうちから１又は複数種類の操作を抽出するステップと、
前記抽出部により抽出された１又は複数種類の操作のうちいずれかを受け付けた場合に、前記音声入力部による音声入力を終了させるステップと、
前記音声入力装置よりも演算処理能力が高く、音声データの内容を翻訳処理するサーバ装置との通信を行うステップと、
を含む音声入力方法。
【請求項７】
翻訳処理の対象となる音声を入力するための音声入力装置に備えられたコンピュータを、
音声を入力するための音声入力部と、
前記音声入力部による音声入力を開始させるための複数種類の開始操作のうちいずれかを受け付けた場合に、前記音声入力部による音声入力を開始させる開始部と、
前記複数種類の開始操作のうちいずれの操作を受け付けたかに応じて、前記音声入力部による音声入力を終了させる複数種類の終了操作のうちから１又は複数種類の操作を抽出する抽出部と、
前記抽出部により抽出された１又は複数種類の操作のうちいずれかを受け付けた場合に、前記音声入力部による音声入力を終了させる終了部と、
前記音声入力装置よりも演算処理能力が高く、音声データの内容を翻訳処理するサーバ装置との通信を行う通信インタフェースと、
として機能させる音声入力プログラム。